(57)【特許請求の範囲】
【請求項１】
無線送受信装置による第１のデータの送信と無線受信装置による第２のデータの受信との間の干渉を低減する方法であって、
前記無線受信装置によって前記第２のデータをデータ・バーストの形態で受信するステップと、
前記第２のデータの前記受信の各特性を特定する第１の特定ステップであって、前記各特性は、前記データ・バーストのバースト・オン・タイム期間、前記データ・バーストのバースト周期、及び、前記第２のデータがスケーラブル・ビデオ符号化方式に従って符号化されている場合、前記第２のデータの相異なる各レイヤの受信期間を表す情報を含んでいる、前記第１の特定ステップと、
前記各特性を考慮に入れて、前記無線送受信装置を介する前記第１のデータの少なくとも一部の送信期間を特定する第２の特定ステップであって、前記第２のデータがスケーラブル・ビデオ符号化方式に従って符号化されている場合、前記送信期間は、少なくとも１つのスケーラブル・ビデオ・エンハンスメント・レイヤからの前記第２のデータの受信に対応する前記データ・バーストの前記オン・タイム期間を含んでいる、前記第２の特定ステップと、
前記第１のデータの少なくとも一部の送信のためのタイム・スロットをリザーブする要求を、前記送信期間中に、前記無線送受信装置を介して送信するステップと、
前記無線送受信装置を介して、タイム・スロットのリザーブを表す情報を受信するステップと、
前記リザーブされたタイム・スロットの期間中に、前記第１のデータの前記少なくとも一部を、前記無線送受信装置を介して送信するステップと、
を含むことを特徴とする、前記方法。
【請求項２】
前記各特性は、
前記第２のデータの受信の信号／雑音比が所定レベルより高いこと、
受信された前記第２のデータの測定されたビット・エラー・レートが所定レベルより高いこと、
スケーラブル・ビデオ符号化された前記第２のデータの相異なる各レイヤの受信期間を表す情報、
のうちの少なくとも１つを含むことを特徴とする、請求項１に記載の方法。
【請求項３】
前記無線受信装置はモバイル・テレビジョン受信装置であることを特徴とする、請求項１又は２に記載の方法。
【請求項４】
前記無線送受信装置はＷｉＭＡＸ（Worldwide  Interoperability  for  Microwave  Access）送受信装置であることを特徴とする、請求項１から３のいずれか１項に記載の方法。
【請求項５】
前記リザーブされたタイム・スロットが前記第１のデータの全てを送信するには不十分であった場合、タイム・スロットをリザーブする前記要求が繰り返されることを特徴とする、請求項１から４のいずれか１項に記載の方法。
【請求項６】
次のバーストの開始までの残り期間が所定の閾値を下まわる場合、タイム・スロットをリザーブする要求が送信されないことを特徴とする、請求項１から５のいずれか１項に記載の方法。
【請求項７】
前記送信期間が終了すると、前記第１のデータの前記少なくとも一部の送信のためのタイム・スロットのいずれのリザーブも、前記無線送受信装置を介する、少なくとも１つのリザーブ取消要求の送信によって取り消されることを特徴とする、請求項１から６のいずれか１項に記載の方法。
【請求項８】
無線受信装置による第１のデータの受信の各特性を特定する第１のデタミネータであって、前記第１のデータはデータ・バーストの形態で受信され、前記第１のデータの受信の前記各特性は、前記データ・バーストのバースト・オン・タイム期間、前記データ・バーストのバースト周期、及び、前記第２のデータがスケーラブル・ビデオ符号化方式に従って符号化されている場合、前記第２のデータの相異なる各レイヤの受信期間を表す情報を含んでいる、前記第１のデタミネータと、
前記第１のデータの受信の前記各特性を考慮に入れて、無線送受信装置による、前記第２のデータの少なくとも一部の送信期間を特定する第２のデタミネータであって、前記第２のデータがスケーラブル・ビデオ符号化方式に従って符号化されている場合、前記送信期間は、少なくとも１つのスケーラブル・ビデオ・エンハンスメント・レイヤからの前記第２のデータの受信に対応する前記データ・バーストの前記オン・タイム期間を含んでいる、前記第２のデタミネータと、
を含むことを特徴とする装置。
【発明の詳細な説明】
【技術分野】
【０００１】
本発明は、概して、デジタル通信に関し、更に詳しくは、第１のデータの無線送信と第２のデータの無線受信とを分担する方法とデバイス、および該方法を実施する装置に関する。
【背景技術】
【０００２】
モバイル受信機数が増大し続け、更に、ＧＳＭ（登録商標）、ＵＭＴＳ、ＷｉＦｉ、ＧＰＳ、ＤＶＢ−Ｔ／ＤＶＢ−Ｈ、ＷｉＭＡＸのような多くの相異なる規格が使用されることによって、利用可能な無線周波数の需要を満たすことは、益々困難になって来ている。例えば、携帯電話通信網の周波数帯域は、世界中の殆どの地域で、過負荷状態になっている。しかしながら、アナログ・テレビジョンからデジタル・テレビジョンへの移行によって、ＵＨＦスペクトルの一部の帯域が空くことになっている。空いた各無線周波数は、とりわけ、モバイル・テレビジョン・サービスと無線ブロードバンド・サービスに使用される可能性がある。このことは、サービス・プロバイダ及びプロダクト製造業者がモバイル端末についての新たな用途を提案する機会を生み出し、また、モバイル・マルチメディア端末の製造業者が、これまで別個のデバイスに装備されていた各種機能をより一層統合する誘因となるであろう。
【０００３】
ＵＨＦ帯域の空いた周波数の再利用に関連して、解決すべき重要な課題の１つは、モバイル端末による、相異なるが比較的近い各周波数を使用する各種サービスへの同時アクセスを可能にすることである。若し何らかの対策を取らなければ、ある周波数上のサービスに関する端末による送信が、隣接周波数上の別のサービスの同端末による同時受信を乱すか、或いは、不可能にしてしまう。その原因は、互いに接近した各周波数で動作する各アンテナの間接的なカップリング（容量性、伝導性、或いは、誘導性）と、コンパクトなモバイル端末内の各アンテナが互いに物理的に近いことである。この現象は、クロストークとも呼ばれる。同一の周波数間隔について、クロストークが互いに隣接した周波数上での同時の送信と受信とを乱す度合は、送受信電力に応じて様々である。
【０００４】
従来技術によれば、当該課題は、周波数除去フィルタ（ＲＦ除去フィルタ）を使用して部分的に対処されているが、相異なるタイプの送受信についての各割り当て周波数が国によって異なり、その結果、様々な国で同一のモバイル端末を使用できるように、モバイル端末には一連の除去フィルタが装備されている。また、同時の送信と受信とに使用される各周波数が互いに近い場合、モバイル端末の良好な機能を可能にするためにＲＦ除去フィルタに課される制約条件は、非常に厳しいか、或いは、満足させることが実際には不可能である。米国２００７／０２３８４８２Ａ１（Ｒａｙｚｍａｎ氏その他）及び米国２００６／０２９２９８７Ａ１（Ｏｐｈｉｒ等）に記載されているような別の従来技術の課題解決手段は、複数の送受信装置の相互間の調整処理に関し、各々の送受信装置によって独占的に使用される、相異なり、且つ、互いに重なり合わない各タイム・スロットを割り当てる。米国２００７／０２３２３５８Ａ１（Ｓｈｅｒｍａｎ）では、Ｂｌｕｅｔｏｏｔｈ（（登録商標）ＢＴ）とＷｉＭＡＸ（Worldwide  Interoperability  for  Microwave  Access）送受信装置との共存が更に記載されており、ＢＴ送受信装置が、ＷｉＭＡＸのサイレンス（無活動状態）期間中に起動される。このＷｉＭＡＸのサイレンス期間は、ＷｉＭＡＸのトラフィックがＢＴ送信を許すのに十分なほどわずかではない場合に、ＢＴ送受信装置によって課されることがある。
【０００５】
これらの従来技術の課題解決手段は、第１のデータの送信と第２のデータの受信とをリアルタイムで行うという制約条件については、第１のデータの送信が第２のデータの受信に対して干渉を引き起こすので、最適なものではない。これは、例えば、第１のデータがモバイル・ブロードバンド・データであり、第２のデータがモバイル・テレビジョン・データである場合に、当てはまる。
【発明の概要】
【０００６】
従来技術の不備の少なくとも一部を軽減するために、本発明は、無線送受信装置による第１のデータの送信と無線受信装置による第２のデータの受信との間の干渉を低減する方法を含み、この方法は、無線受信装置によって第２のデータをデータ・バーストの形態で受信するステップと、第２のデータの受信の各特性を特定する第１の特定ステップであって、各特性は、データ・バーストのバースト・オン・タイム期間、及びデータ・バーストのバースト周期を含んでいる、第１の特定ステップと、各特性を考慮に入れて、無線送受信装置を介する第１のデータの少なくとも一部の送信期間を特定する第２の特定ステップと、第１のデータの少なくとも一部の送信のためのタイム・スロットをリザーブする要求を、送信期間中に、無線送受信装置を介して送信するステップと、無線送受信装置を介して、タイム・スロットのリザーブを表す情報を受信するステップと、リザーブされたタイム・スロットの期間中に、第１のデータの少なくとも一部を、無線送受信装置を介して送信するステップとを含む。
【０００７】
干渉を低減する方法の変形例によれば、各特性は、
第２のデータの受信の信号／雑音比が所定レベルより高いこと、
受信された第２のデータの測定されたビット・エラー・レートが所定レベルより高いこと、
スケーラブル・ビデオ符号化された第２のデータの相異なる各レイヤの受信期間を表す情報、
上記の各事項の任意の組み合わせ、
のうちの少なくとも１つを含む。
【０００８】
干渉を低減する方法の変形例によれば、無線受信装置はモバイル・テレビジョン受信装置である。
【０００９】
干渉を低減する方法の変形例によれば、無線送受信装置はＷｉＭＡＸ（Worldwide  Interoperability  for  Microwave  Access）送受信装置である。
【００１０】
干渉を低減する方法の変形例によれば、リザーブされたタイム・スロットが第１のデータの全てを送信するには不十分であった場合、タイム・スロットをリザーブする要求が繰り返される。
【００１１】
干渉を低減する方法の変形例によれば、次のバーストの開始までの残り期間が所定の閾値を下まわる場合、タイム・スロットをリザーブする要求が送信されない。
【００１２】
干渉を低減する方法の変形例によれば、送信期間が終了すると、第１のデータの少なくとも一部の送信のためのタイム・スロットのいずれのリザーブも、無線送受信装置を介する、少なくとも１つのリザーブ取消要求の送信によって取り消される。
【００１３】
また、本発明は装置に関し、この装置は、無線受信装置による第１のデータの受信の各特性を特定する第１のデタミネータであって、第１のデータはデータ・バーストの形態で受信され、第１のデータの受信の各特性は、データ・バーストのバースト・オン・タイム期間、及びデータ・バーストのバースト周期を含んでいる、第１のデタミネータを含み、この装置は、各特性を考慮に入れて、無線送受信装置による、第２のデータの少なくとも一部の送信期間を特定する第２のデタミネータをさらに含んでいる。
【図面の簡単な説明】
【００１４】
本発明の更なる利点は、本発明の特定の非限定的な各実施形態の説明により明らかになるであろう。各実施形態を、以下の各図を参照して、説明する。
【図１】本発明の一実施形態によるデバイスの一例を示す図である。
【図２】本発明の一実施形態によるデバイスによって受信されるモバイル・テレビジョン信号のような無線データの構成を示す図である。
【図３】図１のデバイス内の無線送受信装置のような送受信デバイス内の無線送受信装置によるデータの受信と送信の一部の原理を例示する図である。
【図４】無線受信装置によるデータ受信と、無線送受信装置によって送受信される各送受信フレームとを示す本発明の一実施形態を例示する図である。
【図５】本発明の一実施形態を実施するデバイスの例を示す図である。
【図６】本発明の特定の実施形態を実施するデバイス内の無線受信装置によるバースト受信期間中の無線送受信装置によるデータの送信を或る特定の状況の下で可能にする、本発明の変形実施形態を示す図である。
【図７】本発明の特定の実施形態による方法のアルゴリズムを示す図である。
【発明を実施するための形態】
【００１５】
図１には、本発明の実施によって処理能力が向上する一例としてのデバイス１００が示されている。ここで、本発明は、とりわけ、デバイス内の受信装置と送受信装置との間の干渉を低減でき、送信と受信とを最適化する。
【００１６】
デバイス１００は、例えばコンパクトなモバイル送受信装置のデバイスであり、基地局１０１を介して配信されるモバイル・テレビジョン・サービスの受信と、基地局１０２を介する無線ブロードバンドの送受信（例えば無線インターネット）とを可能にするユーザ・アクセスを提供する。デバイス１００は、更に、描画兼用入力装置１２、例えばタッチ・スクリーンを備えている。中央処理装置（ＣＰＵ）１３が、デバイスの動作を制御し、データ・バス１６を介して各コンポーネント１０，１１，１４，１５及び１２とそれぞれ接続されている。メモリ１４が、デバイスの動作に必要なデータとプログラムを記憶することを可能にし、クロック１５が、デバイスの各コンポーネントにタイム・リファレンスを提供する。
【００１７】
デバイス１００内では、モバイル・テレビジョン受信用の無線受信装置１０が、アンテナを備え、このアンテナから、基地局１０１によって送信されたモバイル・テレビジョン・データ１００１を受信する。更に、デバイス１００内には、ブロードバンド・データ送受信用の無線送受信装置１１が備えられている。後者は、自身のアンテナを介して、基地局１０２によって送信されたブロードバンド・データを受信する。また、無線送受信装置１１は、ブロードバンド・データを基地局１０２に送信する。基地局１０２とモバイル受信機１００との送受信は、矢印１００２によって示されている。
【００１８】
点線の矢印１００３によって示されているように、無線送受信装置１１による送信が、無線受信装置１０によるテレビジョン・データ１００１の良好な受信に干渉する。この原因は、無線ブロードバンド送受信装置１１とモバイル・テレビジョン基地局１０１とによって送信される各無線信号の周波数が相対的に近いこと、及び／又は、コンパクトなモバイル・デバイス１００内の受信装置１０と送受信装置１１とが互いに近いこと、及び／又は、それらのアンテナが互いに近いことにある。
【００１９】
送信半径、送信電力、及び、信号周波数の数値例を、ＢＳ（基地局）１０１、ＢＳ（基地局）１０２、無線受信装置１０、及び、無線送受信装置１１の各々について、以下に示す。
【００２０】
ＢＳ１０１では、送信半径Ｒ＝１.２５ｋｍである。これは、ＢＳ１０１によって送信される信号の受信についての送信装置と受信装置との間の最大距離に相当する。ＢＳ１０１の送信電力ＥＩＲＰ（equivalent  isotropically  radiated  power：等価等方放射電力）は、６２．１５ｄＢｍ（ｄＢｍは、１ミリワットを基準とする測定電力のデジベル単位の電力比率の略語）である。ＢＳ１０１によって送信される信号の周波数は、４７０から６９８ＭＨｚ（メガヘルツ）の範囲である。
【００２１】
ＢＳ１０２では、送信半径Ｒ＝１.１２５ｋｍ、ＥＩＲＰ＝５４．３ｄＢｍ、周波数範囲は７９０から８６２ＭＨｚである。
【００２２】
無線受信装置１０は、４７０から６９８ＭＨｚの範囲で送信された信号を受信する。
【００２３】
無線送受信装置１１は、７９０から８６２ＭＨｚの周波数範囲内の信号を送受信する。その送信電力ＥＩＲＰは、２２ｄＢｍである。
【００２４】
図２には、モバイル・デバイス１００内の無線受信装置１０によって基地局（ＢＳ）１０１から受信されるモバイル・テレビジョン信号のようなデータ信号の構成が示されている。
【００２５】
この受信データ信号は、幾つかのテレビジョン・チャンネルのシリアル化された周期的な送信から成る連続信号（２０５，２０６）である。各々のテレビジョン・チャンネルについてのデータは、バーストの形態で、且つ、ファスター・ザン・リアルタイム（faster-than-real-time：リアルタイムより高速）方式で送信され、これによりデバイス１００は、次のデータ・バーストまで、データを受信でき、対象としない他の各テレビジョン・チャンネルのデータ受信期間中、無線受信装置１０をオフに出来る。この特徴によって、デバイス１００は、自己の電力消費について多くの節約が出来る。特定のチャンネルについてのデータは、とりわけ、バースト持続期間２０４およびバースト周期２０２によって特徴付けられる。
【００２６】
これらの全てが図２に例示されている。同図は、垂直方向（２００）に信号振幅、水平方向（２０７）に時間を示している。期間２０５の間に、チャンネル１について、データ・バーストが受信される。次に、時点２０１で、チャンネル１についてのデータ・バーストは停止され、信号は、期間２０６の間、他の各チャンネルのデータ・バーストについて時点２０３まで継続して、時点２０３で、チャンネル１についてのデータを有する次のデータ・バーストが受信される。図は、例えば２００ｍｓのデータ・バースト持続期間２０４と、１ｓのデータ・バースト周期２０２とを更に示している。ここに例示したデータ・バースト持続期間の値とデータ・バースト周期の値は、ＤＶＢ−Ｈ（Digital  Video  Broadcasting−Handheld：デジタル・ビデオ放送−ハンドヘルド）規格で使用される代表的な値である。この規格に従えば、対象チャンネルについてのデータ・バースト２０５のオン期間の終了と対象チャンネルの新たなデータ・バーストの開始２０３との間、受信装置がオフに切り替われるように、データ・バーストには、受信装置がデータ・バーストの持続期間と周期とがどれだけであるかを知ることが出来るようにする情報が含まれている。代表例として、“time  slice  and  FEC  descriptor  −  max  burst  duration”と“real  time  parameters  −  delta_t”とが、データ・バーストの各々の開始点に存在し、受信装置がデータ・バースト持続期間２０５と次のデータ・バーストが受信されるまでの遅延期間２０６とを知ることを可能にする。若し受信装置がチャンネルを変更すれば、受信装置は、新たなチャンネルについてのデータを保持するデータ・バーストについての各パラメータを取得する。
【００２７】
点線２０８が、チャンネル１についてのデータ・バーストで送信されたデータの平均ビット・レートを示している。これは、バースト送信がデータ枯渇を避けるのに十分なデータを受信装置に提供していることを示している。
【００２８】
図３には、無線送受信装置１１とＢＳ１０２との間でやりとりされるような各信号のフォーマットの原理の一部が例示されている。本発明の特定の実施形態によれば、無線送受信装置１１は、ＩＥＥＥ８０２.１６、即ち、ＷｉＭＡＸ規格を使用している。ここで具体的に注目すべき点は、ＷｉＭＡＸが、メディア・アクセス・コントローラ（ＭＡＣ）について、ＷｉＦｉ（ＩＥＥＥ８０２.１１）と異なることである。ＷｉＦｉのＭＡＣは、コンテンション方式のアクセスを使用しており、即ち、ＢＳ（基地局）を介してデータを伝えたい全ての加入者ステーション（Subscriber  Stations：ＳＳ）が、ランダムな割り込みベースで、ＢＳのアテンションを求めて競争する。これにより、あるＳＳが他のＳＳに繰り返し割り込まれることがあり、割り込まれたＳＳのスループットが大幅に低下することになる。これとは対照的に、ＷｉＭＡＸのＭＡＣはスケジューリング・アルゴリズムを使用しており、これに従って、ＳＳは、（リザーブ要求、即ち、帯域幅要求を使用したネットワークへの最初のエントリのために）ただ１度だけ競争すればよく、その後に、ＢＳによってタイム・スロットがリザーブされる。タイム・スロットは、拡大及び縮小できるが、そのＳＳに割り当てられたままであり、これは、他のＳＳがそれを使用できないことを意味している。
【００２９】
図３には、代表的なＷｉＭＡＸ送受信フレーム３０８が示されている。このフレームには、アップリンク・マップ及びダウンリンク・マップについてのデータ・ブロックであるＵＬ−ＭＡＰ３０２及びＤＬ−ＭＡＰ３０３が含まれている。ＵＬ−ＭＡＰ及びＤＬ−ＭＡＰには、点線の矢印３００と３０１によって例示されているように、各々のデータ・バーストの開始タイム・スロットを示す情報が含まれている。送信フレーム３０８内には、ダウンリンク・サブフレーム３０９とアップリンク・サブフレーム３１０とが在る。ダウンリンク・サブフレーム３０９は、ＢＳ（例えば、図１のＢＳ１０２）の送信に対応している。アップリンク・サブフレームは、２つの加入者ステーションＳＳｉとＳＳｊによる送信に対応している。例えば、ＳＳｉは、図１のモバイル・デバイス１００内の無線送受信装置１１を表している。スロット３０４に於いて、基地局１０２はＳＳｉ１１にデータを送る。スロット３０５に於いて、基地局１０２はＳＳｊにデータを送る。スロット３０６に於いて、ＳＳｉ１１は基地局１０２にデータを送る。スロット３０７に於いて、ＳＳｊは基地局１０２にデータを送る。従って、ＳＳｉ１１とＳＳｊは、ＵＬマップ３０２及びＤＬマップ３０３を受信したとき、いつデータを受信するかを予測でき、いつデータの送信を許されるかを知ることが出来る。データ・アップロード用に（即ち、アップリンク・フレームに於いて）基地局１０２によってリザーブされるタイム・スロットを得たいＳＳｉ又はＳＳｊの場合、当該ＳＳは、タイム・スロットを要求することから始める必要がある。そうするために、当該ＳＳは、リザーブ要求とも呼ばれるアップリンク帯域幅要求（ＢＲ）を送る。当該ＳＳは、まだアップリンク・スロットをリザーブされていないならば、ＢＲをコンテンション（競合）方式で送ることが出来る。その他の場合、即ち、既にアップリンク・スロットをリザーブされており、尚且つ、追加の帯域幅を必要とする場合、当該ＳＳは、アップリンク・タイム・スロット期間中に、追加のＢＲを出すことが出来る。また、ＳＳは、もはやアップリンク帯域幅を必要としないことを示すＢＲ、即ち、リザーブ取消要求を送ってもよい。
【００３０】
図４には、本発明の一実施形態が示されている。タイムライン４００が、例えばＷｉＭＡＸ規格に従う４つのデータ送受信フレームを有するタイムラインを表している。タイムライン４２０が、図１のデバイス１００の送受信装置１１のような送信装置による送信について、データを送信する機会を表している。タイムライン４３０が、例えば図１のＢＳ１０１によって送信されて、図１の無線受信装置１０によって受信されるＤＶＢ−Ｈモバイル・テレビジョン・データである、受信データを表している。
【００３１】
本発明のこの実施形態は、２つの加入者ステーションＳＳｉ及びＳＳｊについて、例示されている。ＳＳｉは、無線送受信装置１１に対応している。ＳＳｊは、もう１つの別のデバイスに対応している。
【００３２】
タイムライン４３０上、４３１と４３３が、デバイス１００のモバイル受信装置１０による、モバイル・テレビジョン・チャンネル１を占めるデータのバーストの受信を表している。４３２と４３４が、モバイル・テレビジョン・チャンネル２からｎについての各データ・バーストの受信を表している。
【００３３】
タイムライン４２０上、４２２が、デバイス１００のブロードバンド送受信装置１１がデータを送信する機会を表している。４２１と４２３は、送受信装置１１によるデータ送信が、無線受信装置１０によるデータ受信に対して、ある程度の干渉を及ぼす期間を表している。
【００３４】
タイムライン４００上には、基地局１０１によって管理される４つの送受信フレーム、即ち、フレーム４１２，４１４，４１６及び４１８が存在する。送受信フレームの開始は、フレーム４１２については４１１によって、フレーム４１４については４１３によって示されている。各フレームには、基地局１０１，ＳＳｉ及びＳＳｊの各々によって、送信用にリザーブされたタイム・スロットが含まれている。各タイム・スロットは、アップリンク（ＵＬ）又はダウンリンク（ＤＬ）のタイム・スロットである。ダウンリンク・タイム・スロットは、ＢＳ１０１によって使用され、ＳＳｉ及びＳＳｊのような各加入者ステーションにデータを送信し、これらのＳＳがＢＳからデータをダウンロードすることを可能にする。各アップリンク・タイム・スロットは、データをＢＳにアップロードするために、ＳＳｉ及びＳＳｊのような加入者ステーションによって使用される。フレーム４１２には、ダウンリンク（ＤＬ）タイム・スロット４０１とアップリンク（ＵＬ）タイム・スロット４０２とが含まれている。アップリンク・タイム・スロット４０２は、加入者ステーションＳＳｊによるデータ送信のためにリザーブされている。フレーム４１４には、同様にダウンリンク・タイム・スロット４０３と、帯域幅要求ＢＲ（ｉ）、即ちリザーブ要求４０４と、ＳＳｊによるデータ送信用の同様にアップリンク・タイム・スロット４０５とが存在する。フレーム４１６には、ダウンリンク・タイム・スロット４０６と、ＳＳｉ用のアップリンク・タイム・スロット４０７と、ＳＳｊ用のアップリンク・タイム・スロット４０８とが存在する。フレーム４１８には、ダウンリンク・タイム・スロット４０９と、ＳＳｊ用のアップリンク・タイム・スロット４１０とが存在する。本発明のこの実施形態によれば、無線送受信装置１１によるデータ送信は、無線受信装置１０が対象チャンネルからデータを受信する期間中、回避される。この期間は、タイムライン４２０の４２１及び４２３と、タイムライン４３０のバーストＣＨ１受信の４３１及び４３３とに対応している。タイムライン４００から分かるように、デバイス１００内の無線受信装置１０によるチャンネル１についてのデータ・バーストの受信期間中、デバイス１００内の無線送受信装置１１（ＳＳｉ）からのアップリンク動作は無い。
【００３５】
従って、無線送受信装置１１（ＳＳｉ）の送信は、以下のように、無線受信装置１０によるデータ受信と同期化される。テレビジョン・チャンネル１に対する無線受信装置１０の同調後、無線送受信装置１１は、送受信フレーム４１４内の帯域幅要求ＢＲ（ｉ）、即ちリザーブ要求４０４を、チャンネル１についてのバーストのオフ・タイム４３２中に送信する。基地局１０２は、ＢＲ（ｉ）に基づいて、ＳＳｉにアップリンク・タイム・スロットを割り当てる。次の送受信フレーム４１６に於いて、ＳＳｉ１１は、送受信フレーム４１６内のダウンリンク・タイム・スロット４０６で、ＤＬ−ＭＡＰを受信する。このＤＬ−ＭＡＰには、ＢＳ１０２がＳＳｉ１１に割り当てたアップリンク・タイム・スロットへのリファレンスが含まれている。次に、ＳＳｉ１１は、基地局１０２がＳＳｉ１１についてリザーブしたアップリンク・タイム・スロット４０７の期間中にＢＳ１０２に送信する必要があるデータ（の一部）をアップロードする。若し、当該アップリンク・タイム・スロットが無線受信装置１０によるチャンネル１の受信のオン・タイム期間中に位置するならば、無線送受信装置１１はデータを送信しない。若し、当該アップリンク・タイム・スロットが無線受信装置１０によるチャンネル１の受信のオン・タイム期間と部分的に重なるならば、無線送受信装置１１は、無線受信装置１０によるチャンネル１の受信のオン・タイム期間に入った時点で、データの送信を停止する。
【００３６】
本発明の変形実施形態によれば、タイム・スロットを求めるリザーブ要求、即ち、ＢＲは、次のバーストの開始までの残り期間が所定の閾値を下まわる場合には送信されない。この特徴によって、バーストのオン・タイム期間に位置するために使用されることがない送信用タイム・スロットを取得することを回避できる。使用されることがない加入者ステーションによって取得される各タイム・スロットは、他の如何なる加入者ステーションによっても使用されることはなく、従って、これらの他の加入者ステーションにとって潜在的な帯域幅の喪失につながる。本発明の特定の実施形態によれば、閾値は次のように決定される。即ち、若し現在の送受信フレームが現在のバーストの終了前に終了しないならば、タイム・スロットを求めるリザーブ要求は送信されない。変形実施形態によれば、上述の各実施形態が組み合わせられ、リザーブ要求のよりインテリジェントな送信の利点をもたらし、従って、全てのＳＳについて、利用可能な帯域幅の使用を最適化できる。
【００３７】
図４に於いて、各タイムラインは、例として示されている。ＤＶＢ−Ｈテレビジョン信号の受信とＷｉＭＡＸブロードバンドの受送信との環境での本発明の実施形態において、所与のチャンネルについてのバーストのオン・タイム期間は１００ｍｓから３００ｍｓまでの範囲であり、バーストの周期は１ｓから３ｓまでの範囲である。ＷｉＭＡＸ送受信フレームは、通常は２．５ｍｓから２０ｍｓの持続期間を有する。従って、ＤＶＢ−Ｈ信号のオフ・タイムの持続期間がＷｉＭＡＸ送受信フレームの持続期間よりもかなり長いので、ＷｉＭＡＸ送受信装置がデータを送信するのに十分な時間が残されている。しかしながら、同調したＤＶＢ−Ｈチャンネルの特性に応じて、オン・タイムの持続期間は、ある種のデータ・トラフィックを抑制することがある。ＷｉＭＡＸ送信とＤＶＢ−Ｈデータの受信との同期化によって生じる遅延が長過ぎて、その結果、無線送受信装置１１による、待ち時間要求が低いデータ・トラフィックの送受信、例えば、音声タイプのデータ送信が出来ないことがある。この種の用途では、変形実施形態が可能であり、これを、以下、図５及び図６を参照して、更に説明する。
【００３８】
図５には、本発明の一実施形態を実施するデバイス５００の例が示されている。デバイス５００は、本発明の特定の実施形態による図１のデバイス１００を拡張したものを表している。デバイス５００は、描画兼用入力装置５５、例えばタッチ・スクリーンをさらに備えている。中央処理装置（ＣＰＵ）５６が、デバイスの動作を制御し、データ・バス５９を介して、各コンポーネント５０，５１，５５，５７及び５８とそれぞれ接続されている。メモリ５７が、デバイスの動作に必要なデータとプログラムを記憶することを可能にし、クロック５８が、デバイスの各コンポーネントにタイム・リファレンスを提供する。
【００３９】
無線受信装置５０は、各受信特性を無線送受信装置５１に伝える。これによって、無線送受信装置５１が、無線受信装置５０によって受信される受信モバイル・テレビジョン・チャンネルの受信に対する干渉を低減できる、即ち、無線送受信装置５１のデータ送信が無線受信装置５０によるデータ受信と同期化される。この目的のため、無線受信装置５０は、矢印５２で例示されているように、例えばバースト・オン・タイム期間及びバースト周期のような各バースト・パラメータについての情報を無線送受信装置５１に送信する。変形実施形態によれば、無線受信装置５０は、更に、矢印５３で例示されているように、バーストの開始時点及び終了時点についての情報、即ち、同期化信号を、無線送受信装置５１に送信する。また、変形実施形態によれば、無線受信装置５０は、無線受信装置５０が受信した信号の受信品質を表す信号／雑音比受信特性も無線送受信装置５１に送信する。これによって、図６で更に説明するように、受信装置と送受信装置との間での高度な連携が可能になる。矢印５２，５３及び５４は、データ・フローを表している。特定の実施形態によれば、これらのデータ・フローは、無線受信装置５０と無線送受信装置５１との間の１つ又は複数の個別の接続部を介して送信されるか、或いは、別の実施形態によれば、データ・バス５９を介して送信される。
【００４０】
上述の実施形態は、本発明の単なる実施例に過ぎない。更に本発明の原理を用いて、別の実施形態も可能である。例えば、無線受信装置５０と無線送受信装置５１は、それぞれ個別のデバイス上で実施され、各受信特性の送信は、装置５０と装置５１との間の通信リンクを介して行われる。
【００４１】
図６には、特定の状況下で、無線受信装置５０によるバースト受信の期間中に、無線送受信装置５１によるデータ送信を可能にする、本発明の変形実施形態が示されている。この変形実施形態は、待ち時間が短く且つジッタが少ないタイプの、無線ブロードバンド・リンク上のデータ・トラフィックを可能にするという利点を有する。
【００４２】
タイムライン６６０は、無線受信装置５０によって受信されるデータを示している。タイムライン６４０は、無線受信装置５０から受信されるデータから得られるビデオ描画の品質に対する無線送受信装置５１の同時送信の影響を示している。タイムライン６００は、図１のＢＳ１０２のような基地局によって管理される各ＷｉＭＡＸ送受信フレームを示している。
【００４３】
本発明のこの変形実施形態によれば、デバイス５００の対象チャンネル、ここでは、チャンネル１について無線受信装置５０によって受信されるデータは、スケーラブル・ビデオ符号化（ＳＶＣ）方式のビデオ・データである。この変形例によれば、無線受信装置５０によって受信されるデータの各受信特性には、スケーラブル・ビデオ符号化された第２のデータの相異なる各レイヤの受信時間を表す情報が含まれている。
【００４４】
ＳＶＣは、相異なるレベルの受信品質のビデオの描画を可能にする。ＳＶＣ符号化ビデオ・データには、ベース・レイヤＬ１に於ける低受信品質のデータと、このベース・レイヤＬ１のデータと組み合わせた時に中程度の品質で同一ビデオを描画できるエンハンスメント・レイヤＬ２に於ける付加データと、このＬ２データ及びＬ１データと組み合わせた時に高品質で同一ビデオを描画できるエンハンスメント・レイヤＬ３に於ける第２の付加データと、が含まれている。ＳＶＣデータは、第１のベース・レイヤ６６６、第２のエンハンスメント・レイヤ６６７、及び、第３のエンハンスメント・レイヤ６６８に於いて符号化されている。この変形実施形態の動作原理は、ＳＶＣ符号化ビデオの受信に関して、無線送受信装置５１によるデータ送信を、チャンネル１についての、バースト６６１〜６６２のうちのオフ・タイム期間６６２の間のみならず、チャンネル１についての、バースト６６１〜６６２のうちのオン・タイム期間６６１中のＳＶＣエンハンスメント・レイヤ６６７及び６６８のうちの１つ以上からのデータの受信期間の間もまた、可能にするというアイデアに基づいている。タイムライン６４０は、無線送受信装置５１による同時送信の期間中に無線受信装置５０を介して受信されたビデオ・データの描画の品質の劣化の重大さを示している。無線送受信装置５１が、無線受信装置５０によるＳＶＣベース・レイヤ６６６Ｌ１の受信期間中にデータを送信する場合は、品質の低下に対するインパクト（影響）は、最も高い（６４１）。無線送受信装置５１が、無線受信装置５０による第１のエンハンスメント・レイヤ６６７Ｌ２からのデータの受信期間中にデータを送信する場合は、描画品質の低下の重大さは比較的小さく、ベース・レイヤからのＳＶＣビデオ・データは損なわれずにそのまま残る。また、無線送受信装置５１が、無線受信装置５０による第２のエンハンスメント・レイヤ６６８Ｌ３からのデータの受信期間中にデータを送信する場合は、描画品質の低下の重大さは更に小さくなる。その理由は、損傷を受ける可能性があるのは、第２のエンハンスメント・レイヤに於けるデータのみであり、ベース・レイヤと第１のエンハンスメント・レイヤの両方からのデータは損なわれずにそのまま残るからである。オフ・タイム期間６６２の間、描画品質の低下は無く、無線受信装置５０は、チャンネル１についてのバーストのオン・タイム期間に受信したデータを消費する。従って、以上の説明から明らかなように、エンハンスメント・レイヤＬ２  ６６７及びＬ３  ６６８に属するデータの受信期間中、無線送受信装置５１によるデータの同時送信が、オフ・タイム期間６６２中の送信に加えて可能である。この特徴の利点は、無線送受信装置５１がデータ送信を許されない期間を短縮することによって、無線送受信装置５１を介するデータ送信についてのデータ送信待ち時間を短縮し、そして、送信待ち時間が短いその他のタイプのデータ・トラフィックを実現可能にすることである。
【００４５】
無線送受信装置５１によるデータ送信が、タイムライン６００によって例示されている。フレーム６０１には、図１のＢＳ１０２のような基地局が、無線受信装置５１が含まれる各加入者ステーションにデータをダウンロードするダウンリンク（ＤＬ）部分が含まれている。ここに示す例では、２つの加入者ステーション、即ち、無線受信装置５１を表すＳＳｉと別の装置を表すＳＳｊとを想定している。更に、ＳＳｉ５１とＳＳｊの両方が、十分な帯域幅をリザーブして、各送受信フレームをほぼ完全に占有することを想定している。本発明のこの変形実施形態の原理によれば、無線受信装置５０によるＳＶＣベース・レイヤのデータの受信期間中は、無線送受信装置５１によってデータが送信されることはない。従って、フレーム６０１は、ＤＬデータとＳＳｊからのＵＬデータとだけで満たされ、ＳＳｉ５１は、サイレント（無活動）状態のままである。フレーム６０２〜６０６とフレーム６０８に於いては、ＳＳｊ用のＵＬブロックとＳＳｉ５１用のＵＬブロックとによって、利用可能なアップリンク・スペースが共有されている。フレーム６０７に於いては、再び、ＳＳｉ５１用のＵＬブロックが存在しない。
【００４６】
図５を参照すると、この変形実施形態については、Ｌ２  ６６７とＬ３  ６６８とに関するデータの、受信バースト６６１内での位置を５１に伝えるために、各受信特性についての追加情報を５０から５１に転送する必要がある。
【００４７】
変形実施形態によれば、受信装置５０によるデータの受信期間中の送受信装置５１によるデータの同時送信についての決定がユーザ選択に基づいており、ユーザ選択は、例えば、同時送信を許可しない（従って、送受信装置５１による送信はバースト・オフ・タイム期間のみ）、Ｌ３データの受信期間も送信を許可する、或いは、Ｌ２データの受信期間も送信を許可する、である。このユーザ選択は、ユーザが、無線受信装置５０へのデータ受信と無線送受信装置５１によるデータ送信とに相異なる優先度を与えることに基づいてもよい。
【００４８】
変形実施形態によれば、同時送信についての決定は、デバイス５００自身が、グローバルなユーザ選択に基づいて、或いは、これに基づかずに行う。
【００４９】
受信装置５０によるデータの受信期間中の送受信装置５１によるデータの同時送信を許可するデバイス５００の決定に干渉し得るその他の情報は、受信装置５０によって受信されるデータの信号／雑音比（Ｓ／Ｎ）である。若しＳ／Ｎが所定のレベルであれば、即ち、信号強度が高く、雑音レベルが低い場合、同時送信は可能である。その理由は、送信と受信とを同時に行っても、受信装置５０によって受信されるデータが受ける損傷は、多分小さく、修復できる可能性が高いからである。変形実施形態によれば、受信装置５０によるデータの受信期間中の送受信装置５１による同時送信を許可する決定は、ビット・エラー・レート（ＢＥＲ）の測定に基づく。本発明の変形実施形態によれば、前述の各実施形態の幾つかを組み合わせることによって、無線受信装置５０と送受信装置５１との両立についての、特に最適化された管理を可能にする。例えば、Ｓ／Ｎ又はＢＥＲがそれを可能にする場合、全バースト・オン・タイム期間中の（そして、当然、バースト・オフ・タイム期間中の）送受信装置５１による同時送信が可能となる。しかしながら、Ｓ／Ｎ又はＢＥＲが所与の閾値を下まわる（例えば、エラー・レートが高過ぎる）場合、同時送信は制限され、例えば、受信装置５０によるベース・レイヤ（Ｌ１）データの受信期間中、同時送信は回避される。
【００５０】
発明の特定の実施形態に従えば、無線受信装置５０は、無線受信装置５０を介して受信されたデータの各受信特性を特定するデタミネータ（determinator）を含んでいる。これらの特性は、データ・バーストのバースト・オン・タイム期間と、そのデータ・バーストのバースト周期とを含む。無線送受信装置５１は、無線送受信装置５１を介して送信する送信対象データの少なくとも一部の送信期間を特定する別のデタミネータを含んでいる。この特定は、無線受信装置５０を介して受信されるデータの各受信特性を考慮に入れる。
【００５１】
本発明の変形実施形態によれば、各デタミネータは、無線受信装置５０と無線送受信装置５１の両方と通信する管理機能によって実施される。
【００５２】
他の変形実施形態によれば、各デタミネータは、専用のプログラムを実行するＣＰＵ（中央処理装置）によって実施される。
【００５３】
さらに他の変形実施形態によれば、各デタミネータは、ＡＳＩＣ（特定用途向け集積回路）のようなチップによって実施される。
【００５４】
本発明の変形実施形態によれば、上記管理機能は、無線受信装置５０と無線送受信装置５１とに通信手段を介して接続された特定の装置によって実施される。
【００５５】
図７には、本発明の特定の実施形態に従う方法のアルゴリズムが示されている。このアルゴリズムは、例えばデバイス５００によって実施できる。
【００５６】
このアルゴリズムは、初期化ステップ７００から開始し、このステップに於いて、このアルゴリズムの実行に必要な各変数が割り当てられて初期化される。
【００５７】
次に、ステップ７０１に於いて、第２のデータがバーストの形態で無線受信装置を介して受信される。この第２のデータは、例えば、デバイス５００の無線テレビジョン受信装置５０によって基地局から受信されるモバイル・テレビジョン・データである。このバーストは、例えば、図４のタイムライン４３０、或いは、図６のタイムライン６６０上で例示されたような形態を有する。
【００５８】
第１の特定ステップ７０２に於いて、第２のデータの受信の各特性が特定される。これらの特性は、バーストのバースト・オン・タイム期間とバースト周期とを含む。このバースト・オン・タイム期間とバースト周期は、例えば、それぞれ図６の６６１と６６２とに従うものである。
【００５９】
第２の特定ステップ７０３に於いて、第１のデータ（例えばブロードバンド・データ）の少なくとも一部の、無線送受信装置（例えば、図５のデバイス５００の５１)を介する送信についての期間が特定（決定）される。第１のデータの少なくとも一部の送信についての期間は、第２のデータの各受信特性を考慮に入れる、即ち、バースト・オン・タイム期間とバースト周期とを含む。この送信期間は、例えば、図４のタイムライン４２０の４２２に、或いは、図６のタイムライン６４０の６４４に対応し、或いは、変形実施形態によれば、６４３と、場合によっては６４４とに対応し（例えば、この期間は、５０による、チャンネル１についてのＬ３のＳＶＣビデオの第２のデータを受信する期間＋チャンネル１についての第２のデータを受信しない期間に対応する）、或いは、更なる変形実施形態によれば、６４２と、場合によっては６４３及び６４４とに対応し（例えば、この期間は、５０による、チャンネル１についてのＬ２のＳＶＣビデオの第２のデータを受信する期間＋チャンネル１についてのＬ３のビデオの第２のデータを受信する期間＋チャンネル１についての第２のデータを受信しない期間に対応する）。
【００６０】
送信ステップ７０４に於いて、第１のデータの少なくとも一部の送信のためのタイム・スロットのリザーブ要求が、ステップ７０３で決められた期間中に送信される。このタイム・スロットのリザーブ要求は、例えば、図４のタイムライン４００上に例示されたＢＲ（ｉ）、即ち、リザーブ要求４０４に対応する。或いは、これは、無線送受信装置５１用に既にリザーブされているアップリンク・タイム・スロット（これは、無線送受信装置５１がリザーブの取り消しを基地局に通知するまで、基地局が次の送受信フレーム上にリザーブされたタイム・スロットを維持している場合に当てはまる）の期間中の、第１のデータの少なくとも一部の送信のためのタイム・スロットの追加リザーブの送信に対応する。或いは、送信すべき新たな第１のデータがある場合、リザーブ要求は、ステップ７０３に於いて決められた送信期間が終了する前に、１回又は複数回、繰り返される。基地局が次の送受信フレーム上にリザーブされたタイム・スロットを維持している場合、無線送受信装置５１は、ステップ７０３で決められた送信期間の終了前に、リザーブ取消要求を基地局に送ることができ、これによって、もはや必要としないスペースを開放して、従って、その他の加入者ステーションがその開放されたタイム・スロットに於いてそれらのデータを送信することが可能になる。
【００６１】
受信ステップ７０５に於いて、タイム・スロットのリザーブを表す情報が、無線送受信装置から受信される。これは、例えば、図４のタイムライン４００のダウンリンク・タイム・スロット４０６に於いて受信された、或いは、図６のタイムライン６００のダウンリンク・タイム・スロット６１８に於いて受信された、受信したＤＬ−ＭＡＰから特定され得るタイム・スロットのリザーブに対応する。本発明の変形実施形態によれば、タイム・スロットのリザーブを表す情報は、図６のタイムライン６００のダウンリンク・タイム・スロット６１５に於いて受信されるＤＬ−ＭＡＰに於いて受信される情報に対応し、更に他の実施形態によれば、図６のタイムライン６００のダウンリンク・タイム・スロット６１２に於いて受信されるＤＬ−ＭＡＰに於いて受信される情報に対応する。
【００６２】
最後の送信ステップ７０６に於いて、無線送受信装置は、リザーブされたタイム・スロットの期間中に、第１のデータの少なくとも一部を送信する。
【００６３】
このアルゴリズムは、次に、ステップ７０１から再び繰り返される。
【００６４】
本明細書に於いては、各実施形態は、無線受信装置と無線送受信装置とを一体化したモバイル・デバイスを用いて説明されている。本発明を適用して、受信と送信との間の干渉を低減することによって性能を改善できるその他の装置の例は、携帯電話装置であり、例えば、モバイル・テレビジョンの受信と、ＵＭＴＳ（ユニバーサル・モバイル・テレコミュニケーション・システム）電話通信の送受信とへのアクセスを提供する。実際、本発明は、ＴＤＭ（時分割多重）方式の信号を受信する少なくとも１つの放送受信装置と、リザーブされたタイム・スロットに於いてデータを送信する少なくとも１つの送受信装置とを一体化した任意のデバイスに適用できる。本発明に適用できる時分割多重放送信号は、例として、ＤＶＢ−Ｈ、ＤＶＢ−Ｈ２（第２世代のＤＶＢ−Ｈ）、ＭｅｄｉａＦＬＯ、ＡＴＳＣ  Ｍ／Ｈ（Advanced  Television  Systems  Committee  -  Mobile/Handheld）である。本発明に適用できるタイム・スロットのリザーブを使用する技術の例は、ＷｉＭＡＸとＬＴＥ(Long-Term  Evolution)である。
【００６５】
各実施形態は、同一デバイス内での無線受信装置と無線送受信装置との両立に基づいている。本発明は、１つのデバイスの送信が別のデバイスの受信に干渉する場合、互いに別個の無線受信デバイスと送受信デバイスとによっても実施できる。一例として、本発明は、独立した無線受信デバイスと独立したＷｉＭＡＸ対応デバイスとによって実施でき、この場合、無線受信デバイスの受信がＷｉＭＡＸトラフィックによって乱されると、無線受信デバイスは、ＷｉＭＡＸ対応デバイスに対して、そのＷｉＭＡＸ送信を本発明に従って同期化するように、信号で伝えることが出来る。
【００６６】
本発明は、完全に、パーソナル・コンピュータのような汎用デバイス上で実行するソフトウェア・コンポーネントから構築してもよく、また、ハードウェア・コンポーネントとソフトウェア・コンポーネントとの混合によって実施できる。特定の実施形態によれば、本発明は、例えば、専用コンポーネント（例えば、ＡＳＩＣ（特定用途向け集積回路）、ＦＰＧＡ（フィールド・プログラマブル・ゲート・アレイ）又はＶＬＳＩ（超大規模集積回路））として、或いは、１つのデバイス内に集積された別個の各電子部品としてのハードウェアで、或いは、ハードウェアとソフトウェアの混合の形態で、完全に実施される。
【図１】
0005641619.tif 000002
【図２】
0005641619.tif 000003
【図３】
0005641619.tif 000004
【図４】
0005641619.tif 000005
【図５】
0005641619.tif 000006
【図６】
0005641619.tif 000007
【図７】
0005641619.tif 000008